(57)【要約】【課題】  新規なカメラ機能を有する通信端末機器を提供することで、通信端末機器の利用範囲を広げることにある。【解決手段】  この携帯電話機１において、第１及び第２筐体３，５はそれぞれカメラ部１７，２７を有する。速度測定手段は、２つのカメラ部１７，２７により撮影される被写体１０の速度を下式に従って算出可能である。第１表示パネル１１は、速度測定手段による測定結果を表示可能である。［数１］  Ｖ＝｛（ａ２−ａ１）２＋（ｂ２−ｂ１）２｝＾（１／２）／Ｔ  （但し、Ｖ：携帯電話機１に対する被写体１０の速度、ａ２：被写体１０の時間Ｔ経過後の横方向位置、ａ１：被写体１０の初期の横方向位置、ｂ２：被写体１０の時間Ｔ経過後の前後方向位置、ｂ１：被写体１０の初期の前後方向位置、Ｔ：被写体１０が移動した時間）【選択図】      図５
2005260885.tif 000002
【特許請求の範囲】
【請求項１】
第１カメラ部を有する第１筐体と、
少なくとも第１使用姿勢を採るよう前記第１筐体に対し可動に連結されるとともに、前記第１使用姿勢において前記第１カメラ部と同じ側に配置される第２カメラ部を有する第２筐体と、
前記第１及び第２カメラ部により撮影される被写体の速度を下式に従って算出可能な速度測定手段と、
前記速度測定手段による測定結果を表示可能な表示部と、
を備えた通信端末機器。
［数１］
Ｖ＝｛（ａ２−ａ１）２＋（ｂ２−ｂ１）２｝＾（１／２）／Ｔ
（但し、Ｖ：通信端末機器に対する被写体の速度、ａ２：時間Ｔ経過後の第１カメラ部及び第２カメラ部を結ぶ直線方向の被写体の位置、ａ１：第１カメラ部及び第２カメラ部を結ぶ直線方向の被写体の初期の位置、ｂ２：時間Ｔ経過後の第１カメラ部及び第２カメラ部を結ぶ直線と直交する直線方向の被写体の位置、ｂ１：第１カメラ部及び第２カメラ部を結ぶ直線と直交する直線方向の被写体の初期の位置、Ｔ：被写体が点（ａ１，ｂ１）から点（ａ２，ｂ２）まで移動するのに要した時間）
【請求項２】
前記速度測定手段は、前記［数１］のｂ１及びｂ２を下式に従ってさらに算出可能である、請求項１に記載の通信端末機器。
［数２］
ｂｎ＝（ｄ・ｔａｎθ１・ｔａｎθ２）／（ｔａｎθ１＋ｔａｎθ２）
（但し、ｎ：１又２の整数、ｄ：第１カメラ部と第２カメラ部との距離、θ１：第１カメラ部と第２カメラ部とを結ぶ直線と第１カメラ部と被写体とを結ぶ直線とがなす角度、θ２：第１カメラ部と第２カメラ部とを結ぶ直線と第２カメラ部と被写体とを結ぶ直線とがなす角度）
【請求項３】
外部との通信のための通信制御部をさらに備え、
前記第２筐体は、前記第１使用姿勢と異なる第２使用姿勢をさらに採るよう前記第１筐体に対し可動であり、
前記第２使用姿勢において前記通信制御部による動作制御が行われる、
請求項１または２に記載の通信端末機器。
【請求項４】
前記第１及び第２筐体は、折り畳み可能に回動自在に連結されるとともに、第１角度だけ開いた状態で前記第１使用姿勢となり、前記第２角度だけ開いたときに前記第２使用姿勢となる、請求項３に記載の通信端末機器。
【請求項５】
前記速度測定手段により測定された速度に応じて焦点を設定する焦点設定手段をさらに備え、
前記表示部は、外部からの入力操作を受け付けて前記焦点設定手段に対し焦点の設定を指示するための指示ボタンを表示可能である、
請求項１から４のいずれか１項に記載の通信端末機器。
【請求項６】
一方のカメラ部はオートフォーカス機能による撮影が可能であり、
前記速度測定手段は、前記一方のカメラ部により撮影される前記被写体の速度をさらに測定可能であるとともに、２つの前記カメラ部により撮影される前記被写体の速度と前記１つのカメラ部により撮影される被写体の速度との平均値を算出可能である、
請求項１から５のいずれか１項に記載の通信端末機器。
【請求項７】
一方のカメラ部はオートフォーカス機能による撮影が可能であり、
前記速度測定手段は、前記一方のカメラ部により撮影される前記被写体までの距離をさらに測定可能であるとともに、２つの前記カメラ部により撮影される前記被写体までの距離と前記１つのカメラ部により撮影される被写体の距離との平均値をさらに算出可能である、
請求項１から６のいずれか１項に記載の通信端末機器。
【発明の詳細な説明】
【技術分野】
【０００１】
本発明は、通信端末機器に関する。
【背景技術】
【０００２】
携帯電話機等の通信端末機器において、２つの筐体が開閉自在に連結された折り畳み式のものが知られている。折り畳み式の携帯電話機では、一般に、一方の筐体に表示パネルが設けられ、他方の筐体に操作ボタンが設けられるとともに、２つの筐体が所定の角度をなすよう開いた使用姿勢と、これらが閉じた待機姿勢とを採り得るよう構成されている（例えば、特許文献１参照）。
【０００３】
そして、従来の携帯電話機では、電話機能やメール機能に加え、カメラ機能を有するものが知られている。カメラ機能を有する携帯電話機は、通常、一方の筐体の背面側に、レンズ及び撮像素子等で構成されるカメラ部が設けられており、これによって撮影された画像が内面側の表示部に表示されるようになっている。
【特許文献１】特開２００３−３３３１３９号公報
【発明の開示】
【発明が解決しようとする課題】
【０００４】
従来のカメラ機能付き携帯電話機では、カメラ部で撮影した画像の画質を向上させる技術などは提案されているものの、カメラ部本体を用いた機能についての技術はあまり進歩していない。
【０００５】
本発明の課題は、新規なカメラ機能を有する通信端末機器を提供することで、通信端末機器の利用範囲を広げることにある。
【課題を解決するための手段】
【０００６】
請求項１に係る通信端末機器は、第１筐体と、第２筐体と、速度測定手段と、表示部とを備えている。第１筐体は、第１カメラ部を有する。第２筐体は、少なくとも第１使用姿勢を採るよう第１筐体に対し可動に連結されるとともに、第１使用姿勢において第１カメラ部と同じ側に配置される第２カメラ部を有する。速度測定手段は、第１及び第２カメラ部により撮影される被写体の速度を下式に従って算出可能である。表示部は、速度測定手段による測定結果を表示可能である。
［数１］
Ｖ＝｛（ａ２−ａ１）２＋（ｂ２−ｂ１）２｝＾（１／２）／Ｔ
（但し、Ｖ：通信端末機器に対する被写体の速度、ａ２：時間Ｔ経過後の第１カメラ部及び第２カメラ部を結ぶ直線方向（以下、横方向ともいう）の被写体の位置、ａ１：被写体の初期の横方向位置、ｂ２：時間Ｔ経過後の第１カメラ部及び第２カメラ部を結ぶ直線と直交する直線方向（以下、前後方向ともいう）の被写体の位置、ｂ１：被写体の初期の前後方向位置、Ｔ：被写体が点（ａ１，ｂ１）から点（ａ２，ｂ２）まで移動するのに要した時間）
この機器では、２つの筐体それぞれにカメラ部が設けられていることから、第１使用姿勢においてカメラ撮影を行うことにより、上記式に従って被写体の移動速度を算出することが可能となる。したがって、ここでは、簡単な計算により被写体の速度を算出することができ、従来のように例えば１つのカメラ部のオートフォーカス機能により速度を測定するのとは異なった方法により被写体の速度を求めることができる。そして、測定結果は表示部に表示されるので、ユーザは、被写体の移動速度を容易に知ることができる。
【０００７】
なお、速度を算出する際において、ｂ１及びｂ２は、その値さえ分かれば速度の算出が可能であることから、２つのカメラ部を用いて計算により算出した値であっても或いは１つのカメラ部のオートフォーカス機能により測定された値であっても良く、特に限定されない。
【０００８】
請求項２に係る通信端末機器は、請求項１の通信端末機器において、速度測定手段は、［数１］のｂ１及びｂ２を下式に従ってさらに算出可能である。
［数２］
ｂｎ＝（ｄ・ｔａｎθ１・ｔａｎθ２）／（ｔａｎθ１＋ｔａｎθ２）
（但し、ｎ：１又２の整数、ｄ：第１カメラ部と第２カメラ部との距離、θ１：第１カメラ部及び第２カメラ部を結ぶ直線と第１カメラ部及び被写体の位置を結ぶ直線とがなす角度、θ２：第１カメラ部及び第２カメラ部を結ぶ直線と第２カメラ部及び被写体の位置を結ぶ直線とがなす角度）
この機器では、２つのカメラ部を有することから、上記速度計算に必要なｂｎを上記式に従って簡単に算出することができる。したがって、速度を算出する過程で被写体までの距離が算出されることとなり、被写体についてより多くの情報を知ることができる。
【０００９】
請求項３に係る通信端末機器は、請求項１又は２の機器において、外部との通信のための通信制御部をさらに備えている。第２筐体は、第１使用姿勢と異なる第２使用姿勢をさらに採るよう第１筐体に対し可動である。そして、第２使用姿勢において通信制御部による動作制御が行われる。
【００１０】
この機器では、２つの筐体が採る姿勢ごとに速度測定又は通信といった異なる制御が行われるため、ユーザは、機器の使用姿勢を変えることで、容易に制御状態を切り替えることができ、使い勝手が良くなる。
【００１１】
請求項４に係る通信端末機器は、請求項３の機器において、第１及び第２筐体は、折り畳み可能に回動自在に連結されるとともに、第１角度だけ開いた状態で第１使用姿勢となり、第２角度だけ開いたときに第２使用姿勢となる。
【００１２】
この機器では、具体的に、折り畳み式の機器において、２つの筐体の開閉角度を変え異なる姿勢を採らせることで、制御状態を切り替えられるようにしている。
【００１３】
請求項５に係る通信端末機器は、請求項１から４のいずれか１項の機器において、速度測定手段により測定された速度に応じて焦点を設定する焦点設定手段をさらに備えている。そして、表示部は、外部からの入力操作を受け付けて焦点設定手段に対し焦点の設定を指示するための指示ボタンを表示可能である。
【００１４】
この機器では、測定された被写体の速度に応じて焦点が設定されるが、ここでは、表示部に表示された指示ボタンに対して入力操作することで焦点の設定を指示することができるようになっている。
【００１５】
請求項６に係る通信端末機器は、請求項１から５のいずれか１項の機器において、一方のカメラ部はオートフォーカス機能による撮影が可能である。そして、速度測定手段は、一方のカメラ部により撮影される被写体の速度をさらに測定可能であるとともに、２つのカメラ部により撮影される被写体の速度と１つのカメラ部により撮影される被写体の速度との平均値を算出可能である。
【００１６】
この機器では、２通りに求めた被写体の速度の平均値を算出することができるので、被写体の速度についてより信頼性のある情報を得ることができる。
【００１７】
請求項７に係る通信端末機器は、請求項１から６のいずれか１項の機器において、一方のカメラ部はオートフォーカス機能による撮影が可能である。そして、速度測定手段は、一方のカメラ部により撮影される被写体までの距離をさらに測定可能であるとともに、２つのカメラ部により撮影される被写体までの距離と１つのカメラ部により撮影される被写体の距離との平均値をさらに算出可能である。
【００１８】
この機器では、２通りに求めた被写体までの距離の平均値を算出することができるので、被写体までの距離についてより信頼性のある情報を得ることができる。
【発明の効果】
【００１９】
本発明によれば、２つの筐体それぞれにカメラ部が設けられていることから、第１使用姿勢においてカメラ撮影を行うことにより、上記式に従って被写体の移動速度を算出することが可能となる。したがって、ここでは、簡単な計算により被写体の速度を算出することができ、従来のように例えば１つのカメラ部のオートフォーカス機能により速度を測定するのとは異なった方法により被写体の速度を求めることができる。そして、測定結果は表示部に表示されるので、ユーザは、被写体の移動速度を容易に知ることができる。
【発明を実施するための最良の形態】
【００２０】
［携帯電話機の構成］
図１〜図３に、本発明の一実施形態が採用された携帯電話機１を示す。
【００２１】
この携帯電話機１は、使用姿勢と待機姿勢との間で開閉可能な折り畳み式のものであって、第１筐体３と、第２筐体５とを備えている。
【００２２】
＜第１筐体＞
第１筐体３は、薄型の直方体形状のものであり、内面側に設けられた第１表示パネル１１及びスピーカ部１３と、第２筐体５側の端部に設けられた接続部１５と、背面側に設けられた第１カメラ部１７と、側部及び端部にそれぞれ設けられたジョグダイヤル１９，２０とを有する。
【００２３】
第１表示パネル１１は、液晶ディスプレイで構成され、制御部７（後述）により所定の表示内容が表示される。スピーカ部１３は、通話中の相手側からの電気信号を音声情報に変換して発生するものである。接続部１５は、第２筐体５に装着される部分である。第１カメラ部１７は、図示しないレンズ及び撮像素子等で構成され、外部から取り込んだ画像情報を制御部７を介して表示パネル１１，２１に表示させることができる。また、第１カメラ部１７は、オートフォーカス機能を有している。ジョグダイヤル１９，２０は、後述する速度測定モードにおいて、第１表示パネル１１に表示される後述のポインタ３３（図６参照）を上下及び左右方向に動かすためのものである。
【００２４】
＜第２筐体＞
第２筐体５は、薄型の直方体形状のものであり、内面側に設けられた第２表示パネル２１及びマイク部２３と、第１筐体３側の端部に設けられた接続部２５と、背面側に設けられた第２カメラ部２７と、側部に設けられた操作ボタン２８（図６参照）と、側部及び端部にそれぞれ設けられたジョグダイヤル２９，３０（図６参照）とを有している。
【００２５】
第２表示パネル２１は、タッチパネル式の液晶ディスプレイで構成されており、制御部７により所定の表示内容が表示される。マイク部２３は、ユーザの声等の音声情報を相手側に送る電気信号に変換するものである。
【００２６】
接続部２５は、第１筐体３の接続部１５と共に、第１筐体３と第２筐体５とを回動自在にするヒンジを構成し、第１及び第２筐体３，５の内面同士が対向するよう閉じた待機姿勢と、第１及び第２筐体３，５が開いた使用姿勢（図２及び図３参照）とを採り得る。使用姿勢には、図２に示す第１使用姿勢と、図３に示す第２使用姿勢とが含まれる。第１筐体３及び第２筐体５は、第２使用姿勢では１６５°の角度をなして開き、第１使用姿勢では１８０°の角度をなして開くようになっている。また、２つの接続部１５，２５の間には、第１及び第２筐体３，５の相対角度を検知するためのセンサ２６が配置されている。
【００２７】
第２カメラ部２７は、第１カメラ部１７と同様のものである。操作ボタン２８は、速度測定モードにおいて、シャッターを切るとともに制御部７による速度測定動作を指示するためのものであり、最初にシャッターを切ると被写体１０の初期位置が確定され、時間Ｔ経過後にさらにシャッターを切ると被写体１０の移動後の位置が確定されるようになっている。ジョグダイヤル２９，３０は、速度測定モードにおいて、第２表示パネル２１に表示される後述のポインタ３５（図６参照）上下及び左右方向に動かすためのものである。
【００２８】
＜制御部＞
これら２つの筐体３，５の内部には、制御部７が配置されている。
【００２９】
制御部７は、ＣＰＵ及びメモリを含むマイクロコンピュータで構成され、センサ２６によって検知された角度に応じていずれの使用姿勢にあるかを判断し、第２使用姿勢では通常モードによる制御を行い、第１使用姿勢では速度測定モードによる制御を行う。メモリには、各モードで実行される制御プログラムが格納されている。通常モードでの制御プログラムには、他の携帯電話機等との間での通信に関するプログラムが含まれる。速度測定モードでの制御プログラムには、被写体の移動速度の測定や焦点の設定に関するプログラムが含まれる。
【００３０】
また、メモリには、速度測定モードにおいて各表示パネル１１，２１に表示されるポインタ３３，３５の画面上の位置と、被写体１０に対する角度θとが対応づけられたデータが格納されており、ポインタ３３，３５が各画面上で位置決めされた位置によって角度θを把握できるようになっている。さらに、メモリには、第１使用姿勢における第１カメラ部１７との距離ｄの値がデータとして記憶されているほか、過去に測定した被写体１０までの距離等に関するデータを保持することができる。
【００３１】
通常モードでは、通話、メールの送受信ができるほか、従来と同様のカメラモードによる撮影を行うことができる。また、通常モードでは、第１表示パネル１１には時計表示等を含む待受画面や通常のカメラモードでの撮影映像が表示されるとともに、第２表示パネル２１には操作画面２２が表示されるようになっている。操作画面２２には、ユーザの入力操作を受け付けるテンキー等の種々のボタンが表示され、従来の携帯電話機の操作ボタンと同様の操作を行えるようになっている。また、第１及び第２カメラ部１７，２７のオートフォーカス機能により、各カメラ部１７，２７によって撮影された画像のみに基づいて公知の方法に従って距離及び速度を測定することもできる。そして、そのようにして測定された距離及び速度と、速度測定モードで求められた同じ被写体１０までの距離及び速度との平均値を算出することができる。
【００３２】
一方、速度測定モードでは、カメラ部１７によって撮影された画像は、第１及び第２表示パネル１１，２１にそれぞれ表示されるとともに、各パネル１１，２１にポインタ３３，３５が表示され、各筐体３，５のジョグダイヤル１９，２０又は２９，３０によってポインタ３３，３５を任意の位置に移動可能になっている。そして、操作ボタン２８が押されると、ポインタ３３，３５の画面上の位置から角度θ１，θ２が確定され、下式に従って被写体１０の移動速度が算出される。かかる速度測定の概念図を図４及び図５に示す。
［数３］
Ｖ＝｛（ａ２−ａ１）２＋（ｂ２−ｂ１）２｝＾（１／２）／Ｔ
（ここで、Ｖ：携帯電話機１に対する被写体１０の速度、ａ２：時間Ｔ経過後の被写体１０の横方向位置、ａ１：被写体１０の初期の横方向位置、ｂ２：時間Ｔ経過後の被写体１０の前後方向位置、ｂ１：被写体１０の初期の前後方向位置、Ｔ：被写体１０が点（ａ１，ｂ１）から点（ａ２，ｂ２）まで移動するのに要した時間）
なお、ａ及びｂの位置は、図４及び図５に示すように、第１カメラ部１７の位置を基準として表され、各値は、第１カメラ部１７からの横方向及び前後方向の距離をそれぞれ示す。
【００３３】
ここで、ａ１及びａ２は、被写体１０までの距離について成立する式：
［数４］
ａｎ・ｔａｎθ１＝（ｄ−ａｎ）・ｔａｎθ２
（ここで、ｎ：１又は２の整数、θ１：第１カメラ部１７及び第２カメラ部２７を結ぶ直線と第１カメラ部１７及び被写体１０の位置を結ぶ直線とがなす角度、θ２：第１カメラ部１７及び第２カメラ部２７を結ぶ直線と第２カメラ部２７及び被写体１０の位置を結ぶ直線とがなす角度）
により得られる。
【００３４】
また、ｂ１は、式：
［数５］
ｂ１＝（ｄ・ｔａｎθ１１・ｔａｎθ２１）／（ｔａｎθ１１＋ｔａｎθ２１）
（ここで、θ１１：第１カメラ部１７及び第２カメラ部２７を結ぶ直線と第１カメラ部１７及び被写体１０の初期位置を結ぶ直線とがなす角度、θ２１：第１カメラ部１７及び第２カメラ部２７を結ぶ直線と第２カメラ部２７及び被写体１０の初期位置を結ぶ直線とがなす角度）
により得られる。
【００３５】
さらに、ｂ２は、式：
［数６］
ｂ２＝（ｄ・ｔａｎθ２１・ｔａｎθ２２）／（ｔａｎθ１２＋ｔａｎθ２２）
（ここで、θ１２：第１カメラ部１７及び第２カメラ部２７を結ぶ直線と第１カメラ部１７及び時間Ｔ経過後の被写体１０の位置を結ぶ直線とがなす角度、θ２２：第１カメラ部１７及び第２カメラ部２７を結ぶ直線と第２カメラ部２７及び時間Ｔ経過後の被写体１０の位置を結ぶ直線とがなす角度）
により得られる。
【００３６】
そして、速度測定モードにおいて測定が終わると、第１表示パネル１１に、被写体１０の移動速度として上記Ｖの値が表示されるとともに、携帯電話機１から被写体１０までの移動前後における距離として距離として上記ｂ１，ｂ２が表示される。また、これらの表示とともに焦点の設定動作を指示する指示ボタン２４（図２参照）が表示され、これが押されることで算出された速度及び距離に応じて公知の方法に従って焦点が定められる。
【００３７】
なお、制御部７は、待機姿勢でも、電話やメールの着信通知や、時計、タイマー等に関する制御を行えるようになっている。また、タイマ機能を有しており、シャッターが２度押される間の時間を把握することができる。
【００３８】
［携帯電話機の動作］
次に、携帯電話機１の動作の一例について説明する。
【００３９】
この携帯電話機１において、電話、メール機能等を利用する場合は、第１筐体３及び第２筐体５を開いて第２使用姿勢にする。すると、通常モードによる制御が行われ、電話、メール機能や、従来と同様のカメラ機能を利用することができる。このとき、第２表示パネル２１には、操作画面２２が表示され、ユーザは、相手先の電話番号の入力やメールの作成をしたり、オートフォーカス機能による距離及び速度の測定を行うことができる。測定された距離及び速度は、第１表示パネル１１に表示されるともに、メモリに保持させることができる。
【００４０】
一方、速度測定モードを利用する場合は、第１及び第２筐体３，５を第２使用姿勢からさらに開いて第１使用姿勢にする。すると、速度測定モードに切り替わり、カメラ部１７により撮影された画像が、第１及び第２表示パネル２１にそれぞれ表示され、ポインタ３３，３５が表示される。そして、ジョグダイヤル１９，２０，２９，３０を操作して各画面上で各ポインタ３３，３５を被写体１０に合わせ、操作ボタン２８を押して１度目のシャッターを切ると、２つの角度θ１１及びθ２１が確定されるとともに２つのカメラ部１７，２７間の距離ｄの値が呼び出され、上記式に従って被写体１０までの距離ｂ１が算出される。算出結果は第１表示パネル１１に表示される。そして、さらに操作ボタン２８を押して２度目のシャッターを切ると、２つの角度θ１２及びθ２２が確定されてｂ１と同様にしてｂ２が算出され、算出結果が第１表示パネル１１に表示される。
【００４１】
ここで求められた距離ｂ１，ｂ２はメモリに保持させることができるとともに、第１表示パネル１１に指示ボタン２４が表示され、これを押すことで速度Ｖに応じた焦点が定められる。
【００４２】
そして、再度第２使用姿勢にして通常モードにすると、先に通常モードで求めた距離及び速度と、速度測定モードで求めた距離及び速度との平均値をそれぞれ算出することができる。ここでの算出結果も、第１表示パネル１１に表示されるともに、メモリに保持させることができる。
【００４３】
以上の携帯電話機１によれば、２つの筐体３，５それぞれにカメラ部１７，２７が設けられていることから、上記式に従って被写体１０の速度を算出することが可能となる。したがって、ここでは、簡単な計算により被写体１０の速度を算出することができ、従来のように例えば１つのカメラ部のオートフォーカス機能により速度を測定するのとは異なった方法により被写体の速度を求めることができる。そして、測定結果は表示パネルに表示されるので、ユーザは、被写体１０の速度を容易に知ることができる。
［他の実施形態］
（ａ）速度測定モードにおいて、被写体１０の速度Ｖを算出する際に、［数５］及び［数６］により求めたｂ１及びｂ２に代えて、一方のカメラ部のオートフォーカス機能により測定された被写体までの距離を用いても良い。
【００４４】
（ｂ）携帯電話機は、３種以上の使用姿勢を採って使用姿勢ごとに異なる制御が行われるよう構成されても良い。また、各使用姿勢の角度は、上記実施形態で説明したものに限定されない。
【００４５】
（ｃ）上記速度測定モードにおいて、ポインタを動かして被写体に合わせる構成に代えて、例えば、各パネルの中央に印を固定的に表示し、ジョグダイヤルを操作するとパネルに表示される画像自体が動くように構成し、被写体を印に合わせるといった他の手段が採用されても良い。
【００４６】
（ｄ）携帯電話機は、折り畳み式のもののみでなく、リボルバー式であっても良く、或いは、これらの複合型であっても良い。
【００４７】
（ｅ）本発明は、２種以上の姿勢を採り得る２つの筐体を備えた通信端末機器であれば適用可能であり、携帯電話機のほか、ＰＤＡ（携帯情報端末）、モバイルコンピュータ等の他の通信端末機器にも適用可能である。
【図面の簡単な説明】
【００４８】
【図１】本発明の一実施形態が採用された携帯電話機の構成を模式的に示すブロック図。
【図２】第１使用姿勢にある前記携帯電話機を示す斜視図。
【図３】第２使用姿勢にある前記携帯電話機を示す斜視図。
【図４】前記携帯電話機による速度測定動作を概念的に示す上面図。
【図５】前記携帯電話機による独度測定動作を概念的に示す上面図。
【図６】図２の携帯電話機を示す平面図。
【図７】図２の携帯電話機を示す背面図。
【符号の説明】
【００４９】
１  携帯電話機
３  第１筐体
５  第２筐体
７  制御部
１１  第１表示パネル
２１  第２表示パネル
【図１】
2005260885.tif 000003
【図２】
2005260885.tif 000004
【図３】
2005260885.tif 000005
【図４】
2005260885.tif 000006
【図５】
2005260885.tif 000007
【図６】
2005260885.tif 000008
【図７】
2005260885.tif 000009